(57)【特許請求の範囲】
【請求項１】
先端側から接触ピンを突出させたプローブ本体部と、一端を前記接触ピンに接続させて前記プローブ本体部の内部空間を経て該プローブ本体部の後端側から引き出された他端に測定器の入力端子に差し込むためのプラグを有するコードとを少なくとも備えてなる測定器用テストプローブにおいて、
前記プローブ本体部は、該プローブ本体部の外表面の適位置から一部を突出させて軸方向とは直交する方向での人為的な回転操作を可能に軸支させた回転ギアと、該回転ギアと噛合する噛合溝を表面に有して前記内部空間内に位置する内コード部周りに螺旋状となって進退可能に配置される弾性保護カバーと、前記先端寄りの適位置にて前記弾性保護カバー進退時の出入を許す出入口とを備え、
前記接触ピン使用時には、前記回転ギアを一方向に回転させることで前記出入口に前記弾性保護カバーの先端面が臨む位置までの該弾性保護カバーの退避を可能とし、
前記接触ピンの不使用時には、前記回転ギアを他方向に回転させることで前記接触ピンの全体を覆う位置までの前記弾性保護カバーの進出を可能としたことを特徴とする測定器用テストプローブ。
【請求項２】
前記弾性保護カバーは、これを退避させた際に前記出入口と掛合して全体が没入するのを阻止する前部突起を前記先端面に備える請求項１に記載の測定器用テストプローブ。
【請求項３】
前記弾性保護カバーは、これを進出させて前記接触ピンの全体を覆った際に前記噛合溝が前記回転ギアと噛合するのを阻止する後部突起を後端部に備える請求項１または２に記載の測定器用テストプローブ。
【発明の詳細な説明】
【技術分野】
【０００１】
本発明は、接触ピンを先端側から突出させた測定器用テストプローブに関する技術である。
【背景技術】
【０００２】
テスタ等の測定器は、電気機器の据え付けや故障の修理を行う際に電圧や電流や抵抗を測定する必要から、ケーシング内に必要な計測回路を備えて形成されており、該ケーシング側に設けられた入力端子に対し測定器用テストプローブが備えるプラグを差し込み、測定器用テストプローブにおける接触ピンを測定対象物に電気的に接触させて必要な測定ができるようになっている。
【０００３】
この場合に用いられる測定器用テストプローブとしては、例えば特許文献１にて本出願人が既に開示しているように、プローブ本体部の先端側から針状に突出させた接触ピンを備えているものを用いるのが一般的である。
【０００４】
すなわち、測定器用テストプローブは、先端側から突出させた接触ピンを備えるプローブ本体部と、前記接触ピンと電気的に導通させてプローブ本体部の後端側から引き出された先にプラグを備えるコードとで構成されており、該コードが備えるプラグを測定器側の入力端子に差し込んで電気的に接続させた上で、接触ピンを測定対象部位に電気的に接触させることで必要な測定作業を行うことができるようになっている。
【先行技術文献】
【特許文献】
【０００５】
【特許文献１】実公平６−４５８９８号公報
【発明の概要】
【発明が解決しようとする課題】
【０００６】
ところで、上記特許文献１を含む従来からある測定器用テストプローブは、通常、図４に示すようにプローブ本体部１の先端側から接触ピンが常に突出しているので、非測定時にはキャップ３を接触ピン側に覆い被せてこれを保護しておく必要がある。
【０００７】
しかし、キャップ３は、プローブ本体部１の接触ピンを含む先端部２側に単に覆い被せておくだけなので、測定作業を行う使用時に取り外して仕舞い込んだときに誤って紛失してしまったり、測定しない不使用時に覆い被せた状態で測定器用テストプローブを持ち運んでいる最中に何かの拍子で脱落して紛失してしまうなどの不都合があった。
【０００８】
本発明は、従来技術にみられた上記課題に鑑み、測定器用テストプローブにおけるプローブ本体部側に従来のキャップに相当する保護カバーを出没可能に内蔵させて紛失しないようにした測定器用テストプローブを提供することを目的とする。
【課題を解決するための手段】
【０００９】
本発明は、上記目的を達成すべくなされたものであり、先端側から接触ピンを突出させたプローブ本体部と、一端を前記接触ピンに接続させて前記プローブ本体部の内部空間を経て該プローブ本体部の後端側から引き出された他端に測定器の入力端子に差し込むためのプラグを有するコードとを少なくとも備えてなる測定器用テストプローブにおいて、前記プローブ本体部は、該プローブ本体部の外表面の適位置から一部を突出させて軸方向とは直交する方向での人為的な回転操作を可能に軸支させた回転ギアと、該回転ギアと噛合する噛合溝を表面に有して前記内部空間内に位置する内コード部周りに螺旋状となって進退可能に配置される弾性保護カバーと、前記先端寄りの適位置にて前記弾性保護カバー進退時の出入を許す出入口とを備え、前記接触ピン使用時には、前記回転ギアを一方向に回転させることで前記出入口に前記弾性保護カバーの先端面が臨む位置までの該弾性保護カバーの退避を可能とし、前記接触ピンの不使用時には、前記回転ギアを他方向に回転させることで前記接触ピンの全体を覆う位置までの前記弾性保護カバーの進出を可能としたことを最も主要な特徴とする。
【００１０】
この場合、前記弾性保護カバーには、これを退避させた際に前記出入口と掛合して全体が没入するのを阻止する前部突起を前記先端面に具備させておくのが好ましい。
【００１１】
また、前記弾性保護カバーには、これを進出させて前記接触ピンの全体を覆った際に前記噛合溝が前記回転ギアと噛合するのを阻止する後部突起を後端部に具備させておくこともできる。
【発明の効果】
【００１２】
請求項１に係る発明によれば、弾性保護カバーは、回転ギアと噛合させた状態のもとでプローブ本体部側に常に一体的に組み合わせておくことができるので、保護カバー自体の紛失を確実に阻止することができる。
【００１３】
しかも、接触ピンの使用時には、プローブ本体部を把持する側の手指を用いる片手操作で回転ギアを一方向に回転させることで、プローブ本体部に設けられている出入口に弾性保護カバーの先端面が臨む位置にまで該弾性保護カバーを退避させた際に露出される接触ピンを用いて直ちにプロービングテストを行うことができる。
【００１４】
また、接触ピンの不使用時には、同様に片手操作で回転ギアを他方向に回転させながら接触ピン方向へと弾性保護カバーを進出させてこれを覆うことで、該保護カバー内に確保される囲繞空間を介して接触ピンの具体的な形状の如何を問わず包み込むようにして確実に保護することができる。
【００１５】
請求項２に係る発明によれば、弾性保護カバーは、先端面に出入口と掛合する前部突起を備えているので、プローブ本体部の内部空間内に全体が没入してしまうのを確実に阻止することができる。
【００１６】
請求項３に係る発明によれば、弾性保護カバーは、前端部を含む進出部位が接触ピンの全体を覆った際に噛合溝が回転ギアと噛合するのを阻止する後部突起を後端部に備えているので、プローブ本体部の出入口から弾性保護カバーが過剰に進出するのを確実に阻止することができる。
【図面の簡単な説明】
【００１７】
【図１】本発明の一例を示す説明図であり、そのうちの（ａ）は、接触ピン使用時の正面図を、（ｂ）は、（ａ）における要部構造を示すためにその一部を切り欠いて示す説明図。
【図２】本発明における回転ギアと弾性保護カバーとの噛合状態を部分的に拡大して示す説明図。
【図３】接触ピン使用時の状態を示す説明図であり、そのうちの（ａ）は、その要部斜視図を、（ｂ）は、（ａ）の出入口と弾性保護カバーの前部突起との掛合時における要部拡大断面図をそれぞれ示す。
【図４】図３（ａ）の部分拡大斜視図。
【図５】接触ピン不使用時の状態を示す要部斜視図。
【図６】接触ピン不使用時の回転ギアと弾性保護カバーとの位置関係を部分的に拡大して示す説明図。
【図７】従来例における接触ピン不使用時の状態を示す要部斜視図。
【発明を実施するための形態】
【００１８】
本発明は、図１（ａ），（ｂ）からも明らかなように、先端１３側から接触ピン１６を突出させた合成樹脂材を含む適宜の絶縁性部材を用いて形成されるプローブ本体部１２と、一端を接触ピン１６に接続させてプローブ本体部１２の内部空間１５を経て該プローブ本体部１２の後端側から引き出された他端に測定器の入力端子に差し込むためのプラグ（図示せず）を有するコード２２とを少なくとも備えてなる測定器用テストプローブ１１に適用される。
【００１９】
この場合、プローブ本体部１２は、該プローブ本体部１２の後端１４側から引き出されているコード２２の部分的な部位として例えば軸方向での略中心位置に配置される所定長の内コード部２３のほか、該内コード部２３の周りに螺旋状となって進退移動が可能に配置される弾性保護カバー３２を内部空間１５内に備えている。
【００２０】
しかも、プローブ本体部１２は、長さ方向での略中間に位置する部位に略矩形形状を呈して内部空間１５と連通する開口部１８を備え、該開口部１８を介して外表面１７側から一部を突出させてプローブ本体部１２の軸方向（長さ方向）とは直交する方向での人為的な回転操作を可能に軸着された回転ギア２０を備えている。
【００２１】
また、例えば軟質ポリスチレンや軟質塩化ビニルのような軟質合成樹脂材などからなる弾性保護カバー３２は、内部空間１５内にて回転ギア２０と順次噛合する多数条の噛合溝３４を表面３２ａの横幅方向に有し、かつ、内コード部２３の長さ方向での周囲を螺旋状に囲繞して確保される囲繞空間３５を介在させて配置されている。
【００２２】
この場合、弾性保護カバー３２は、該弾性保護カバー３２が備える噛合溝３４が図２に示すように回転ギア２０と噛合していることから、該回転ギア２０に加えられる時計方向または反時計方向に付与される回転力に応じて進退移動することができることになる。
【００２３】
しかも、弾性保護カバー３２は、該弾性保護カバー３２の前端部３３を含む適宜長さ部位がプローブ本体部１２の先端１３寄りの適位置に設けられている出入口１９を介して出入できる位置関係をとってプローブ本体部１２側に配置されている。
【００２４】
すなわち、弾性保護カバー３２を必要としない接触ピン１６の使用時（プロービングテスト時）には、回転ギア２０を一方向である例えば時計方向に所定分回転させることで、図３に示すように弾性保護カバー３２の前端部３３における先端面３３ａ側をプローブ本体部１２の出入口１９に臨ませ、その余の部分を内部空間１５内に退避させることができる位置関係のもとで配置されている。
【００２５】
この場合、弾性保護カバー３２は、これを退避させた際に図３（ａ），（ｂ）に示されているように出入口１９と掛合して全体が没入するのを阻止する前部突起３７を先端面３３ａに備えており、これによりプローブ本体部１２の内部空間１５内に弾性保護カバー３２の全体が没入してしまうのを阻止することができるようになっている。
【００２６】
また、弾性保護カバー３２を必要とする接触ピン１６の不使用時（プロービング非テスト時）には、回転ギア２０を他方向である例えば反時計方向に所定分回転させることで、図５に示すように進出させた弾性保護カバー３２の前端部３３を含む進出部位により接触ピン１６の全体を包むようにして覆うことができる位置関係のもとで配置されている。
【００２７】
この場合、弾性保護カバー３２は、これを進出させて図５に示すように接触ピン１６の全体を覆った際に、噛合溝３４が回転ギア２０と噛合するのを阻止する後部突起３８を図６に示すように後端部３４に備えており、これによりプローブ本体部１２の出入口１９から弾性保護カバー３２が過剰に進出するのを阻止することができるようになっている。
【００２８】
次に、上記構成からなる本発明の作用効果を図示例に基づいて説明すれば、測定器用テストプローブ１１は、接触ピン１６の不使用時である接触ピン１６が弾性保護カバー３２の前端部３３を含む進出部位で覆われた図５に示す状態のもとで持ち運ぶことができる。
【００２９】
すなわち、接触ピン１６の不使用時には、後部突起３８により弾性保護カバー３２の噛合溝３４との噛合状態が阻止されるに至るまで回転ギア２０を他方向である例えば反時計方向へと図６に示すように回転ギア２０が後部突起３８により回転できなくなる位置にまで所定分回転させることで、出入口１９から柔軟、かつ、円滑に送り出された弾性保護カバー３２の進出部位により確保される囲繞空間３５内に、接触ピン１６の具体的な形状の如何を問わず該接触ピン１６の全体を包み込むように納めておくことでこれを安定的に保護することができる。
【００３０】
しかも、弾性保護カバー３２自体は、回転ギア２０と噛合状態を維持した状態のもとでプローブ本体部１２の内部空間１５内に収納してプローブ本体部１２側と一体的に組み合わせておくことでその紛失を確実に阻止することができる。
【００３１】
また、接触ピン１６の使用時には、回転ギア２０を一方向である例えば反時計方向に所定分回転させることで、図５に示す状態にある弾性保護カバー３２を図３（ａ），（ｂ）に示されているように該弾性保護カバー３２の先端面３３ａが出入口１９から臨む位置にまで退避させて前部突起３７を出入口１９に掛止させることで、プロービングテストが行えるように接触ピン１６を直ちに露出させることができる。
【００３２】
しかも、この場合においても、弾性保護カバー３２自体は、回転ギア２０と噛合状態を維持した状態のもとでプローブ本体部１２の内部空間１５内に収納された状態で一体的に組み合わせておくことにより、これが紛失するのを確実に阻止することができる。
【００３３】
かくして、プロービングテストを終えた後は、後部突起３８により弾性保護カバー３２の噛合溝３４との噛合状態が阻止されるに至るまで回転ギア２０を他方向である例えば反時計方向へと所定分回転させて接触ピン１６の全体を覆うに足りる長さにまで出入口１９を介して進出させることで、図５に示す状態とすることができる。
【００３４】
このため、本発明によれば、弾性保護カバー３２は、回転ギア２０と噛合させた状態のもとでプローブ本体部１２側に常に一体的に組み合わせておくことができるので、弾性保護カバー３２自体の紛失を確実に阻止することができることになる。
【００３５】
しかも、接触ピン１６の使用時には、プローブ本体部１２を把持する側の手指を用いる片手操作で回転ギア２０を一方向に回転させることで、プローブ本体部１２に設けられている出入口１９に弾性保護カバー３２の先端面３３ａが臨む位置にまで該弾性保護カバー３２を退避させた際に露出される接触ピン１６を用いて直ちにプロービングテストを行うことができる。
【００３６】
また、接触ピン１６の不使用時には、同様に片手操作で回転ギア２０を他方向に回転させながら接触ピン１６方向へと弾性保護カバー３２を螺旋状に進出させてこれを覆うことで、該弾性保護カバー３２内に確保される囲繞空間３５を介することで接触ピン１６の具体的な形状の如何を問わず確実に保護することができることになる。
【００３７】
以上は、本発明を図１ないし図３に基づいて説明したものであり、本発明の要旨はこれに限定されるものではない。例えば、弾性保護カバー３２は、後部突起３８が回転ギア２０の回転を阻止した際に、先端部３３の先端面３３ａがプローブ本体部１２の出入口１９内に常に位置する長さを付与して形成することにより、その先端面３３ａに前部突起３７を具備させないでおくこともできる。また、弾性保護カバー３２には、接触ピン１６不使用時に出入口１９に位置する部位と、接触ピン１６使用時に出入口１９に位置部位とのそれぞれに区別可能な注意喚起目印を各別に付けておくことで、前部突起３７と後部突起３８とを具備させないでおくこともできる。さらに、弾性保護カバー３２には、これを退避させた際に出入口１９と掛合して該弾性保護カバー３２の全体が没入するのを阻止する前部突起３７を先端面３３ａに具備させるとともに、接触ピン１６不使用時に出入口１９に位置する部位に過剰進出を阻止させるための注意喚起目印を付けて後部突起３８を具備させないでおくこともできる。
【符号の説明】
【００３８】
１１  測定用テストプローブ
１２  プローブ本体部
１３  先端
１４  後端
１５  内部空間
１６  接触ピン
１７  外表面
１８  開口部
１９  出入口
２０  回転ギア
２２  コード
２３  内コード部
３２  弾性保護カバー
３２ａ  表面
３３  前端部
３３ａ  先端面
３４  後端部
３５  噛合溝
３６  囲繞空間
３７  前側突起
３８  後側突起
【図１】
0005791938.tif 000002
【図２】
0005791938.tif 000003
【図３】
0005791938.tif 000004
【図４】
0005791938.tif 000005
【図５】
0005791938.tif 000006
【図６】
0005791938.tif 000007
【図７】
0005791938.tif 000008